(57)【特許請求の範囲】
【請求項１】
外部から提供される直流電圧を所定のレベルに変換し出力する直流−直流変換部と、
前記変換された直流電圧を交流電圧に変換しランプに供給する直流−交流変換部と、
前記ランプを流れる管電流を検出し、検出された管電流に基づいて前記直流−直流変換部の電圧レベル変換を制御し、前記検出されたランプの管電流が予め設定された臨界値を超過する場合に、前記ランプの入力端に供給される電流の一部をバイパスする電源制御部と
を含むことを特徴とするランプ駆動装置。
【請求項２】
前記電源制御部は、管電流感知手段とバイパス手段とを含み、
管電流感知手段は、前記ランプの電流経路に接続され、前記ランプに流れる管電流を感知して、該感知信号を前記直流−直流変換部及び前記バイパス手段に提供し、
前記バイパス手段は、前記感知信号が予め設定された臨界値を超過する場合に、前記ランプに供給される電流の一部をバイパスすることを特徴とする請求項１に記載のランプ駆動装置。
【請求項３】
前記バイパス手段は、前記ランプの接地側ではない一端と接地間に接続され、前記管電流感知手段からの感知信号が前記臨界値を超過している場合にターンオンして、前記ランプに供給される電流の一部を前記接地にバイパスさせるスイッチング手段を含むことを特徴とする請求項２に記載のランプ駆動装置。
【請求項４】
前記バイパス手段は、一端が前記管電流感知手段に接続され、他端が前記スイッチング手段の制御端子に接続される抵抗をさらに含むことを特徴とする請求項３に記載のランプ駆動装置。
【請求項５】
前記バイパス手段は、一端が前記抵抗の他端に接続され、他端がグランド接続された別の抵抗をさらに含むことを特徴とする請求項４に記載のランプ駆動装置。
【請求項６】
前記スイッチング手段は、前記ランプの前記一端と前記接地間に導電経路を有し、前記管電流感知手段からの感知信号に応答してターンオン／オフされるトランジスタであることを特徴とする請求項４に記載のランプ駆動装置。
【請求項７】
前記バイパス手段は、前記ランプの前記一端と前記接地間に接続され、前記スイッチング手段の前記導電経路と直列接続された抵抗をさらに含むことを特徴とする請求項６に記載のランプ駆動装置。
【請求項８】
複数のゲートラインと、前記ゲートラインに直交する複数のデータラインと、前記ゲートラインとデータラインに各々接続されたスイッチング素子と、前記スイッチング素子に接続された液晶素子を備えて所定の画像をディスプレイする液晶表示パネルを有する液晶表示装置において、
前記液晶パネルに所定の光を提供する複数のランプと、
外部から提供される電源を変換し、前記各々のランプに電源電圧を供給するランプ駆動部であって、請求項１〜７いずれかに記載のランプ駆動部と
を含むことを特徴とする液晶表示装置。
【請求項９】
前記複数のランプは、前記液晶パネルの下部に設けられることを特徴とする請求項８に記載の液晶表示装置。
【請求項１０】
前記複数のランプは、前記液晶パネルの側部に設けられることを特徴とする請求項８に記載の液晶表示装置。
【発明の詳細な説明】
【０００１】
【発明の属する技術分野】
本発明はランプ駆動装置及び該ランプ駆動装置を具備した液晶表示装置に関するものであり、より詳細には、ランプ間の電流偏差により発生されるランプの寿命低下を防止するためのランプ駆動装置及び液晶表示装置に関するものである。
【０００２】
【従来の技術】
一般的に、液晶表示装置（ＬＣＤ）は自己発光をしないために、ＬＣＤパネルを透過した外部光を反射させ、情報を表示し、またはＬＣＤパネルの背面に別途の光源、すなわちバックライトアセンブリを設けて情報を表示する。
【０００３】
バックライトアセンブリは光を発散させるランプユニット、ランプユニットから発散された光をＬＣＤパネル側に案内する導光板または拡散板、導光板から伝達された光の輝度を上昇させる光学シートからなる。
【０００４】
これらの部材のうちのランプユニットは、液晶表示装置の光源に使用されるランプと、ランプから発散された光を導光板または拡散板側に反射させ、光の効率を上昇させる反射板と、ランプと電気的に接続されランプに電源を印加するインバータにより構成される。
【０００５】
最近、液晶表示装置はラップトップ型コンピュータの表示だけでなく、デスクトップ型モニタおよびテレビなどのように、その使用範囲が急速に拡大され、液晶表示装置のサイズも段々大型化されつつある状態で、液晶表示装置の輝度が重要な問題となっている。特に、液晶パネルのサイズが増加することに連れて多くのランプを駆動することになり、これによりランプの並列駆動の必要性が増加している傾向にある。
【０００６】
このような、大型液晶表示装置では、拡散板の下部面に複数個のランプを設けて、光を照射する直下方式が適用されている。
【０００７】
また、導光板の側面にランプユニットを設けるエッジ方式の場合には、導光板の幅方向側面に少なくとも２個以上のランプを導光板に対して垂直または水平方向へ設けて、大型液晶表示装置の輝度の改善に対処している。
【０００８】
しかし、導光板の幅方向側面に設けられた少なくとも２個以上のランプは、インバータに内蔵された一つのトランスフォーマと並列に接続されるために、電源電圧を供給すると、初期にはランプ各々に電流が均一に印加されるが、各ランプの特性とランプに流れる電流の和のみを制御する回路のために、電流不均一現象が発生する。
【０００９】
このように、各ランプに電流が不均一に印加される場合、電流が多く流れる側のランプの寿命は急激に低下される。これにより、並列駆動中、電流が相対的に多く流れる側のランプの寿命が尽きて消灯されるという問題点がある。
【００１０】
これは、輝度増加のために各々のランプ電流をランプの最大許容電流より若干低いレベルにセッティングして駆動させることが通常であるために、一方のランプに電流がより多く流れて前記許容電流を超過すると、急激な寿命低下が発生されるためである。
【００１１】
また、前記最大許容電流を超過しない場合でも、相対的に多くの電流が流れるランプが、相対的に小さい電流が流れるランプより速く劣化してしまうことにより、徐々に多くの電流が流れることになるため、寿命低下が生じる。
【００１２】
また、導光板の幅方向の一側面と他側面に３個ずつのランプを設ける場合には、導電性を有するランプ反射板とそれぞれのランプとの間の距離が相異し、ランプ間で漏洩電流が異なり、これによりさらに急速な電流偏差が発生される。
【００１３】
【発明が解決しようとする課題】
本発明の目的は、液晶表示装置等において、並列接続された複数のランプの管電流（ランプ電流）の偏差により発生されるランプの寿命低下を防止するためのランプ駆動装置を提供することにある。
【００１４】
また、本発明の他の目的は、ランプの寿命低下を防止したランプ駆動装置を有する液晶表示装置を提供することにある。
【００１５】
【課題を解決するための手段】
上述した目的を達成するための本発明によるランプ駆動装置は、
外部から提供される直流電圧を所定のレベルに変換し出力する直流−直流変換部と、
前記変換された直流電圧を交流電圧に変換しランプに供給する直流−交流変換部と、
前記ランプを流れる管電流を検出し、検出された管電流に基づいて前記直流−直流変換部の電圧レベル変換を制御し、前記検出されたランプの管電流が予め設定された臨界値を超過する場合に、前記ランプの入力端に供給される電流の一部をバイパスする電源制御部と
を含むことを特徴としている。
【００１６】
上述した目的を達成するための本発明によるランプ駆動装置は、外部から提供される直流電圧を所定のレベルに変換し出力する直流−直流変換部と、前記変換された直流電圧を交流電圧に変換しランプに供給する直流−交流変換部と、接地された一端を有し、一端が前記直流‐直流変換部と前記ランプの一端との電流経路に接続され他端が前記管電流感知手段を介して前記ランプの他端に接続され、前記管電流感知手段から提供された前記感知信号が予め設定された臨界値を超過している場合に前記ランプの入力端に供給される電流の一部を前記接地にバイパスするバイパス手段と、前記ランプと前記直流‐直流変換部との間に配設され前記ランプに流れる管電流を検出して感知信号を生成して前記直流−直流変換部及び前記バイパス手段に提供する管電流感知手段と、を含むことを特徴としている。
【００１７】
前記バイパス手段は、前記ランプの接地側ではない一端と接地間に接続され、前記管電流感知手段からの感知信号が前記臨界値を超過している場合にターンオンして、前記ランプに供給される電流の一部を前記接地にバイパスさせるスイッチング手段を含むことが好ましい。この場合、前記バイパス手段はさらに、一端が前記管電流感知手段に接続され、他端が前記スイッチング手段の制御端子に接続される抵抗を含み、また、一端が前記抵抗の他端に接続され、他端がグランド接続された別の抵抗を含むことが好適である。
【００１８】
また、前記スイッチング手段は、前記ランプの前記一端と前記接地間に導電経路を有し、前記管電流感知手段からの感知信号に応答してターンオン／オフされるトランジスタであり、さらに、前記バイパス手段はさらに、前記ランプの前記一端と前記接地間に接続され、前記スイッチング手段の前記導電経路と直列接続された抵抗を含むことが好ましい。
【００１９】
本発明はまた、複数のゲートラインと、前記ゲートラインに直交する複数のデータラインと、前記ゲートラインとデータラインに各々接続されたスイッチング素子と、前記スイッチング素子に接続された液晶素子を備えて所定の画像をディスプレイする液晶表示パネルを有する液晶表示装置であって、
前記液晶パネルに所定の光を提供する複数のランプと、
外部から提供される電源を変換し、前記各々のランプに電源電圧を供給するランプ駆動部であって、上記した構成を有するランプ駆動部と
を含むことを特徴とする液晶表示装置を提供する。
【００２０】
上記した本発明に係る液晶表示装置において、前記複数のランプは、前記液晶パネルの下部に設けられるか、又は、前記液晶パネルの側部に設けられることが好ましい。
【００２１】
このような本発明に係るランプ駆動装置及び該装置を有する液晶表示装置によれば、ランプ間電流偏差が発生して特定ランプに過度な電流が流れる場合に、当該ランプに流れる電流の一部をグラウンド側にバイパスすることにより、ランプ間の電流偏差により発生されるランプの寿命低下を防止することができる。
【００２２】
【発明の実施の形態】
以下、図面を参照して本発明の望ましい実施形態を詳細に説明する。
図１は、本発明による液晶表示装置のランプ駆動装置を説明するための図である。図１に示すように、本発明による液晶表示装置用のランプ駆動装置は、ＤＣ／ＤＣコンバータ１０、ＤＣ／ＡＣインバータ２０、複数の管電流感知部３１、３２、３３、３４、および複数のバイパス部４１、４２、４３、４４を含み、複数のランプＬ１、Ｌ２、Ｌ３、Ｌ４に所定の電流を各々供給する。ここで、前記した管電流感知部とこれに接続されたバイパス部は、各々ランプに流れる管電流が所定の臨界値を超過する場合に、ランプに供給される電流の一部を消尽（バイパス）する電源消尽部として動作をする。
【００２３】
ＤＣ／ＤＣコンバータ１０は外部から提供される直流電圧を昇圧してＤＣ／ＡＣインバータ２０に出力し、ＤＣ／ＡＣインバータ２０は昇圧された直流電圧を交流電圧に変換して複数のランプに各々供給する。
【００２４】
複数のランプＬ１〜Ｌ４は、一端が各々キャパシタＣ１〜Ｃ４に接続され、対応するキャパシタＣ１〜Ｃ４を経てＤＣ／ＡＣインバータ２０から提供される昇圧された直流電圧の印加により、発光動作する。ここで、ランプは一般的に冷陰極ランプＣＣＦＬを用いるが、このような冷陰極ランプは熱陰極ランプに比べて、陰極の熱損傷が小さいために寿命が長く、電極を小さくすることができると同時に、電極の発熱が少ないために、バルブ直径を細くすることができるという利点がある。このように、バルブ直径を細くすることができるために、直下型方式を有する液晶表示装置に広く用いることができる。
【００２５】
複数の管電流感知部３１、３２、３３、３４は、それぞれのランプの他端に接続され、ランプを通じて流れる管電流を感知し、感知された管電流に比例する電圧を、接続対応するバイパス部４１、４２、４３、４４に提供し、かつ、ＤＣ／ＤＣコンバータ１０にフィードバックする。
【００２６】
管電流感知部３１は一端がランプの他端に接続され、他端が接地された抵抗Ｒと、カソードがランプの他端に接続され、アノードが接地された第１ダイオードＤ１と、カソードがＤＣ／ＤＣコンバータ１０に接続され、アノードがランプの他端に接続された第２ダイオードＤ２からなる。他の管電流感知部３２〜３４も同様に構成されている。
【００２７】
このような構成を有する管電流検知部３１は、動作時に、ランプの他端を通じて出力される管電流が抵抗Ｒに流れることによって生じる降下電圧を感知信号としてＤＣ／ＤＣコンバータ１０に提供する。これに基づき、ＤＣ／ＤＣコンバータ１０は、出力電圧の昇圧程度を調整する。万一、管電流が所定の臨界値を越えた場合、すなわち、抵抗Ｒの両端の電圧が所定の臨界値を越えた場合には、バイパス部４１がターンオンされる。すなわち、ＤＣ／ＤＣコンバータ１０では、管電流感知部３１から提供される感知信号に基づいて、現在出力される出力電圧のレベルを調整して、ＤＣ／ＡＣインバータ２０とキャパシタＣ１を経てランプＬ１に提供する。
【００２８】
複数のバイパス部４１、４２、４３、４４は、接続された管電流感知部３１、３２、３３、３４から提供される感知信号に基づいてオン／オフされ、各ランプに印加される電流の一部をグラウドにバイパスする。
【００２９】
バイパス部４１は、一端がランプの一方の入力端に接続された第１抵抗Ｒ１と、一端が管電流感知部３１に接続された第２抵抗Ｒ２と、一端が第２抵抗Ｒ２に接続され他端が接地された第３抵抗Ｒ３と、ベース端が第２抵抗Ｒ２の他端に接続され、エミッタ端が接地され、コレクタ端が第１抵抗Ｒ１の他端に接続されたトランジスタＱ１からなる。第２抵抗Ｒ２を通じて管電流感知部３１からの感知信号のレベルが所定の臨界値を超過した場合にトランジスタＱ１はターンオンされ、ランプに供給される電流の一部を第１抵抗Ｒ１を経てグラウンドにバイパスする。図示の実施形態においては、感知信号がトランジスタＱ１のスレッショルド電圧に達したときに、トランジスタＱ１はターンオンし、したがって、上記した所定の臨界値は、トランジスタＱ１のスレッショルド電圧に等しい。
【００３０】
すなわち、バイパス部４１に備えられるトランジスタＱ１がターンオフ状態を維持すると、ランプＬ１にのみ電流が供給されるが、ランプに過電流が流れたことが感知されると、トランジスタＱ１がターンオン状態となり、ランプＬ１に供給される電流の一部を第１抵抗Ｒ１がグラウンド側にバイパスする。もちろん、この時、バイパスする電流の大きさは、第１抵抗Ｒ１の抵抗値に依存する。
バイパス部４２〜４４もバイパス部４１と同様に構成され、かつ同様に動作する。
【００３１】
なお、バイパス部を備えていない場合、ランプに低レベルの電流が流れる場合には、現在出力される出力電圧のレベルを昇圧して出力し、ランプに高レベルの電流が流れる場合には、現在出力される出力電圧のレベルを減圧して出力するので、特定のランプに流れる管電流のみで他のランプに供給される電源レベルまで調整されてしまう短所がある。
しかし、本発明においては、ランプごとにランプに供給される電流の一部をグラウンドにバイパスする手段を具備していることにより、特定のランプに印加される過電流を該ランプの入力端で遮断することができる。したがって、特定のランプに一時的に過電流が流れたとしても、それが直ちに電源電圧レベルの調整に影響を与えることがない。また、ランプの寿命低下を防止することができる。
【００３２】
上記の実施形態では、４個のランプを並列接続する構造を一つの実施形態として説明したが、４個以下または４個以上の複数のランプを並列接続することもできる。８個のランプを並列接続接続することが望ましい。
【００３３】
また、上記の実施形態では、一つのＤＣ／ＤＣコンバータ１０と一つのＤＣ／ＡＣインバータ２０を用いて複数のランプを一つのユニットとして駆動する一例を説明したが、複数のランプを複数のグループに分けてグループ毎に並列接続し、グループ毎に個別のＤＣ／ＤＣコンバータ１０とＤＣ／ＡＣインバータ２０を用いる構造でも、本発明を同様に適用することができる。
【００３４】
さらに、上記の実施形態では、液晶表示パネルの背面に配置される拡散板の下部面に複数個のランプを液晶表示装置の長さ方向に沿って設ける直下方式を用いたバックライト用インバータに関して説明したが、導光板の側面にランプを設けるエッジ方式を用いたバックライト用インバータでも、本発明を同様に適用することができる。
【００３５】
図２は、本発明の一実施形態による液晶表示装置を説明するための図であり、この例においては、外蔵型直流（ＡＣ／ＤＣ）電源装置を用いている。図２に示すように、本発明の一実施形態による液晶表示装置はＡＣ／ＤＣ電源装置１００、ＬＣＤモジュール部２００を含む。
【００３６】
ＡＣ／ＤＣ電源装置１００は、コンセント１１０、ＡＣ／ＤＣ整流部１２０、ＤＣ／ＤＣコンバータ１３０からなり、外部の交流電源電圧を直流電源電圧に変換してＬＣＤモジュール部２００に出力する。
【００３７】
より詳細には、ＡＣ／ＤＣ整流部１２０は、力率補正（ＰＦＣ）機能を備えてコンセントを経て提供される１００乃至２４０ボルト範囲にある汎用交流電圧を高圧の直流電圧に変換し、変換された直流電圧をＤＣ／ＤＣコンバータ１３０に提供する。前記したＡＣ／ＤＣ整流部１２０はダイオード整流器（Ｄｉｏｄｅ  Ｒｅｃｔｉｆｉｅｒ）やアクティブＰＷＭ整流器（Ａｃｔｉｖｅ  ＰＷＭ  Ｒｅｃｔｉｆｉｅｒ）などにより、具現可能である。
ＤＣ／ＤＣコンバーター１３０は、ＡＣ／ＤＣ整流部１２０から提供される直流電圧のレベルを昇圧または減圧してＬＣＤモジュール部２００に提供するが、このとき昇圧または減圧のレベルはランプに流れる管電流に依存する。
【００３８】
ＬＣＤモジュール部２００は、ＤＣ／ＤＣコンバータ２１０、共通電極電圧発生部（Ｖｃｏｍ発生部）２２０、γ電圧発生部２３０、ＬＣＤパネル部２４０、ＤＣ／ＡＣインバータ２５０、複数のランプＬ１、Ｌ２、・・・、ＬＮ、前記ランプに各々接続される管電流感知部３１、３２、．．．、３Ｎ、及びバイパス部４１、４２、．．．、４Ｎからなり、ＡＣ／ＤＣ電源装置１００から直流電圧の提供を受け、外部のグラフィックコントローラ（図示せず）から提供される所定の画像をディスプレイする。
【００３９】
より具体的には、ＤＣ／ＤＣコンバータ２１０は、ＤＣ／ＤＣコンバータ１３０から提供される直流電圧を複数のレベルに変換し、共通電極電圧発生部２２０とγ電圧発生部２３０およびＬＣＤパネル部２４０に各々提供する。前記したＤＣ／ＤＣコンバータ２１０はブーストコンバータ（Ｂｏｏｓｔ  ｃｏｎｖｅｒｔｅｒ）、バケットコンバータ（Ｂｕｃｋ  ｃｏｎｖｅｒｔｅｒ）、ハーフブリッジコンバータ（Ｈａｌｆ−Ｂｒｉｄｇｅ  ｃｏｎｖｅｒｔｅｒ）、フライバックコンバータ（Ｆｌｙｂａｃｋ  ｃｏｎｖｅｒｔｅｒ）、フルブリッジコンバータ（Ｆｕｌｌ−Ｂｒｉｄｇｅ  ｃｏｎｖｅｒｔｅｒ）、プッシュプルコンバータ（ｐｕｓｈ−ｐｕｌｌ  ｃｏｎｖｅｒｔｅｒ）、そしてフォワードコンバータ（Ｆｏｒｗａｒｄ  ｃｏｎｖｅｒｔｅｒ）などにより、具現可能である。
【００４０】
共通電極電圧発生部２２０はＤＣ／ＤＣコンバータ２１０からのレベル変換された直流に基づいて共通電極電圧（Ｖｃｏｍ）を発生してＬＣＤパネル部２４０に提供する。
【００４１】
γ電圧発生部２３０はＤＣ／ＤＣコンバータ２１０からのレベル変換された直流電圧に基づいてγ電圧（ＶDD）を発生してＬＣＤパネル部２４０に提供する。
図面上では、前記した共通電極電圧発生部２２０と前記したγ電圧発生部２３０がＬＣＤパネル部２４０から分離されている例を示したが、これらをＬＣＤパネル部２４０に含ませて構成することもできる。
【００４２】
ＬＣＤパネル部２４０は一般的にデータドライバ部と、ゲートドライバ部と、ＬＣＤパネルからなり、外部のグラフィックコントローラ（図示せず）とタイミングコントローラ（図示せず）を経て入力される所定の画像をディスプレイする。これに関する詳細説明は、既知であるので、省略する。
【００４３】
前述したように、ＡＣ／ＤＣ電源装置１００をＬＣＤモジュール部２００とは別個に具現した液晶表示装置において、複数のランプに供給される管電流をチェックして、それらの電流値が臨界値を超過すると、ＡＣ／ＤＣ電源装置１００が出力電圧レベルの調節を行うと同時に、ランプに供給される電流の一部をグランドにバイパス処理することにより、ランプの寿命低下を防止することができる。
ＡＣ／ＤＣ電源装置１００をＬＣＤモジュール部２００に内蔵させてもよい。
【００４４】
図３は、本発明の他の実施形態による液晶表示装置を説明するための図であり、この例においては、内蔵型直流（ＡＣ／ＤＣ）電源装置を用いる液晶表示装置を示す。
図３に示すように、本発明の他の実施形態による液晶表示装置は、ＡＣ入力部３００とＬＣＤモジュール部４００を含む。
【００４５】
ＡＣ入力部３００は、１００乃至２４０ボルトの汎用交流電圧をＬＣＤモジュール部４００に直接提供する。通常、所定のプラグをコンセントなどにプラグ−インすることにより、ＬＣＤモジュール部４００に汎用交流電圧を出力することができる。
【００４６】
ＬＣＤモジュール部４００は、ＡＣ／ＤＣ整流部４１０、ＤＣ／ＤＣコンバータ４２０、共通電極電圧発生部（Ｖｃｏｍ発生部）４３０、γ電圧発生部４４０、ＬＣＤパネル部４５０、ＤＣ／ＡＣインバータ４６０、複数のランプＬ１、Ｌ２、・・・、ＬＮ、前記ランプに各々接続される管電流感知部３１、３２、．．．、３Ｎ、及び、バイパス部４１、４２、．．．、４Ｎからなり、ＡＣ入力部３００から汎用交流電圧の提供を受け、外部のグラフィックコントローラ（図示せず）から提供される所定の画像をディスプレイする。
【００４７】
より詳細には、ＡＣ／ＤＣ整流部４１０は、力率補正（ＰＦＣ）機能を備えて１００乃至２４０ボルト範囲にある汎用交流電圧を高圧の直流電圧に変換し、変換された直流電圧をＤＣ／ＤＣコンバータ４２０に提供する。前記したＡＣ／ＤＣ整流部４１０は、ダイオード整流器（Ｄｉｏｄｅ  Ｒｅｃｔｉｆｉｅｒ）やアクティブＰＷＭ整流器（Ａｃｔｉｖｅ  ＰＷＭ  Ｒｅｃｔｉｆｉｅｒ）などにより具現可能である。
【００４８】
ＤＣ／ＤＣコンバータ４２０は、ＡＣ／ＤＣ整流部４１０から提供される高電圧の直流電圧を複数のレベルに変換し、共通電極電圧発生部４３０、γ電圧発生部４４０及びＬＣＤパネル部４５０に各々提供する。前記したＤＣ／ＤＣコンバータ４２０はブーストコンバータ（Ｂｏｏｓｔ  ｃｏｎｖｅｒｔｅｒ）、バケットコンバータ（Ｂｕｃｋ  ｃｏｎｖｅｒｔｅｒ）、ハーフブリッジコンバータ（Ｈａｌｆ−Ｂｒｉｄｇｅ  ｃｏｎｖｅｒｔｅｒ）、フライバックコンバータ（Ｆｌｙｂａｃｋ  ｃｏｎｖｅｒｔｅｒ）、フルブリッジコンバータ（Ｆｕｌｌ−Ｂｒｉｄｇｅ  ｃｏｎｖｅｒｔｅｒ）、プッシュプルコンバータ（ｐｕｓｈ−ｐｕｌｌ  ｃｏｎｖｅｒｔｅｒ）、そしてフォワードコンバータ（Ｆｏｒｗａｒｄ  ｃｏｎｖｅｒｔｅｒ）などにより具現可能である。
【００４９】
共通電極電圧発生部４３０は、ＤＣ／ＤＣコンバータ４２０から供給されるレベル変換された直流電圧に基づいて共通電極電圧（Ｖｃｏｍ）を発生して、ＬＣＤパネル部４５０に提供する。
γ電圧発生部４４０は、ＤＣ／ＤＣコンバータ４２０から供給されるレベル変換された直流電圧に基づいてγ電圧（ＶDD）を発生してＬＣＤパネル部４５０に提供する。
図面上では、前記した共通電極電圧発生部４３０と前記したγ電圧発生部４４０がＬＣＤパネル部４５０から分離している例を示したが、ＬＣＤパネル部４５０に含ませて構成することもできる。
【００５０】
ＬＣＤパネル部４５０は、一般に、データドライバ部と、ゲートドライバ部と、ＬＣＤパネルからなり、外部のグラフィックコントローラ（図示せず）とタイミングコントローラ（図示せず）を経て入力される所定の画像をディスプレイする。これに関する詳細説明は省略する。
【００５１】
ＤＣ／ＡＣインバータ４６０は、ＡＣ／ＤＣ整流部４１０及びＤＣ／ＤＣコンバータ４２０により生成された高電圧、例えば、５００乃至６００ボルトの高電圧の直流電圧をバックライトランプに合う交流電圧に変換し出力する。なお、ＡＣ／ＤＣ整流部４１０の出力を直接、ＤＣ／ＡＣインバータ４６０に供給してもよい。前記したＤＣ／ＡＣインバータ４６０は、既存の５から１２ボルト内外の低電圧で駆動されるインバータではなく、高電圧、例えば、５００から６００ボルト程度に発生された高電圧をＡＣ電圧に変換するインバータ類により具現可能である。例えば、ロイヤインバータ（Ｒｏｙｅｒ  Ｉｎｖｅｒｔｅｒ）、プッシュプルインバータ（ｐｕｓｈ−ｐｕｌｌ  Ｉｎｖｅｒｔｅｒ）、ハーフブリッジインバータ（Ｈａｌｆ−Ｂｒｉｄｇｅ  Ｉｎｎｖｅｒｔｅｒ）、フルブリッジインバータ（Ｆｕｌｌ−Ｂｒｉｄｇｅ  Ｉｎｖｅｒｔｅｒ）などを採用可能である。
【００５２】
このように、高電圧の直流電圧を交流電圧に変換するＤＣ／ＡＣインバータ４６０をＬＣＤモジュール部４５０に直接用いる場合には、従来のターン数が多いトランスフォーマを用いたＬＣＤモニタと比較して、ターン数が小さく、より効率的なトランスフォーマに置換することができる。さらに、前記したトランスフォーマを除去したＤＣ／ＡＣインバータを用いることもできる。このように、トランスフォーマを除去したＤＣ／ＡＣインバータの採用によりＬＣＤモニタの単価を減少させることができる。
【００５３】
複数のランプＬ１〜ＬＮは一般的にＬＣＤパネルのエッジ端や底面部などに配置され、ＤＣ／ＡＣインバータ４６０から提供される交流電圧により、一定レベルの光をＬＣＤパネルに照射する。
【００５４】
これら複数のランプの一端に各々接続される管電流感知部３１、３２、．．．、３Ｎは、ランプに流れる管電流を感知し、該電流値が所定の臨界値を超過する場合には、ＤＣ／ＤＣコンバータ４２０が出力電圧を調整すると同時に、ランプに供給される交流電流のレベルを低減するように、バイパス部４１、４２、．．．、４Ｎを起動させる。
【００５５】
以上で説明したように、電源装置をＬＣＤモジュールに内蔵させることにより、製造原価を節減することができる。特に、デスクトップ型ＬＣＤモニタを具現するとき、ノートブック用ＬＣＤモニタの電源体系をそのままに採用する電源変換段階より電圧変換段階を減少させることができるので、電源部の効率を増大させることができる。
また、高電圧をＤＣ／ＡＣインバータ４６０に直接供給することにより、ターン数が多いトランスフォーマを、より効率的でターン数が小さいトランスフォーマに代替することができる。
【００５６】
以上、本発明の実施形態によって詳細に説明したが、本発明はこれに限定されず、本発明が属する技術分野において通常の知識を有するものであれば本発明の思想と精神を離れることなく、本発明を修正または変更できるであろう。
【００５７】
【発明の効果】
上述した本発明によると、複数のランプを並列駆動する際に、各々のランプに流れる管電流をチェックし、特定ランプに一定臨界値を超える電流が供給される場合に、ランプに供給される電流をグラウンド側にバイパスまたはプルダウン処理することにより、ランプに供給される電流の量を減少させることができるので、ランプの寿命低下を防止することができる。
【００５８】
また、ノートブック型モニタのように外蔵型直流電源装置を用いる液晶表示装置でも、本発明によるランプ駆動装置を容易に適用することができ、前記した直流電源装置をデスクトップ型モニタに内蔵させた液晶表示装置でも、本発明によるランプ駆動装置を容易に適用することができる。
【図面の簡単な説明】
【図１】本発明による液晶表示装置用のランプ駆動装置を説明するための図である。
【図２】本発明の一実施形態による液晶表示装置を説明するための図である。
【図３】本発明の他の実施形態による液晶表示装置を説明するための図である。
【符号の説明】
１０    ＤＣ／ＤＣコンバータ
２０    ＤＣ／ＡＣインバータ
３１〜３４    管電流感知部
４１〜４４    バイパス部
１００    ＡＣ／ＤＣ電源装置
３００    ＡＣ入力部
１１０    コンセント
１２０、４１０    ＡＣ／ＤＣ整流部（ＡＣ／ＤＣダイオード整流器）
１３０、２１０、４２０    ＤＣ／ＤＣコンバータ
２００、４００    ＬＣＤモジュール部
２２０、４３０    共通電極電圧発生部
２３０、４４０    γ電圧発生部
２４０、４５０    ＬＣＤパネル部
２５０、４６０    ＤＣ／ＡＣインバータ
【図１】
0004130767.tif 000002
【図２】
0004130767.tif 000003
【図３】
0004130767.tif 000004